(57)【要約】      （修正有）【課題】手動式伸縮ジャッキの段替え時間を短くする清掃装置の提供。【解決手段】手動式伸縮ジャッキ１０を軸線Ｌ１方向が実質的に水平になるようにセッティングするために２つのエンドプレート１５、１５を載置させる載置部２１が上部に設けられているフレーム２と、当該載置部２１にセッティングされた手動式伸縮ジャッキ１０の軸線Ｌ１を中心にしてエンドプレート１５を水平方向で挟装するジャッキ位置決め部３と、一対の円盤状枠体４１、４２間の外周端に当該円盤状枠体４１、４２の回転中心から放射状に８つのブレード部材４３が等間隔で配置され、載置部２１及びジャッキ位置決め部３にセッティングされた手動式伸縮ジャッキ１０の４つの把手１２が個々に８つのブレード部材４３間の穴に貫入するようにフレーム２に対して回動自在に設けられているディスクローラ４と、ディスクローラ４を回転させるモータ駆動機構５とを備えている。【選択図】図１
2018090395.tif 000002
【特許請求の範囲】
【請求項１】
おねじ体の軸線から放射状に複数の把手が等間隔で突設されたハンドルで、前記おねじ体を回動させることによって２つのエンドプレート間の長さが伸縮する手動式伸縮ジャッキの前記おねじ体を清掃するための清掃装置において、
前記手動式伸縮ジャッキを軸線方向が実質的に水平になるようにセッティングするために前記２つのエンドプレートを載置させる載置部が上部に設けられているフレームと、
前記載置部に設けられ、当該載置部にセッティングされた前記手動式伸縮ジャッキの前記軸線を中心にして前記エンドプレートを水平方向で挟装するジャッキ位置決め部と、
一対の円盤状枠体間の外周端に当該円盤状枠体の回転中心から放射状に複数のブレード部材が等間隔で配置され、前記載置部及び前記ジャッキ位置決め部にセッティングされた前記手動式伸縮ジャッキの前記複数の把手が個々に前記複数のブレード部材間の穴に貫入するように前記フレームに対して回動自在に設けられているディスクローラと、
前記フレームに設けられ、前記ディスクローラを回転させるモータ駆動機構とを備えていることを特徴とする手動式伸縮ジャッキの清掃装置。
【請求項２】
前記ディスクローラの前記複数のブレード部材は、当該ディスクローラが回転しているときに当該複数のブレード部材間の穴と、前記手動式伸縮ジャッキの前記複数の把手とがそれぞれ個別に順次噛み合うような数であることを特徴とする請求項１記載の手動式伸縮ジャッキの清掃装置。
【請求項３】
前記載置部及び前記ジャッキ位置決め部にセッティングされた前記手動式伸縮ジャッキの前記軸線に対して実質的に平行な状態で前記フレームに設けられているスライド棒と、
前記スライド棒に回動自在且つスライド自在に嵌合され、前記載置部及び前記ジャッキ位置決め部にセッティングされた前記手動式伸縮ジャッキの前記おねじ体を清掃するためのブラシが設けられているハンドルアームとを備え、
前記スライド棒は、前記載置部及び前記ジャッキ位置決め部にセッティングされた前記手動式伸縮ジャッキの前記おねじ体に向けて前記ハンドルアームを回転させると、前記ブラシが当該おねじ体に圧接可能な前記フレームの位置に配置されていることを特徴とする請求項１又は請求項２記載の手動式伸縮ジャッキの清掃装置。
【請求項４】
大きさの異なる前記手動式伸縮ジャッキの前記エンドプレートを載置すると共に水平方向で挟装するコの字形のジャッキ位置決め冶具が前記ジャッキ位置決め部に回動軸によって回動自在に設けられ、当該ジャッキ位置決め冶具は、前記手動式伸縮ジャッキの位置決め側に回転すると、開口側が上側に位置すると共に連結部に設けられた係止部が前記載置部に係止されていることを特徴とする請求項１乃至請求項３のうち何れか１項に記載の手動式伸縮ジャッキの清掃装置。
【請求項５】
前記大きさの異なるエンドプレートを有する前記手動式伸縮ジャッキが３種類以上ある場合には、前記各大きさの異なるエンドプレートに対応する前記ジャッキ位置決め冶具がそれぞれ前記回動軸に回動自在に設けられていると共に、当該複数のジャッキ位置決め冶具は前記手動式伸縮ジャッキの位置決め側に回転している場合には、上から下に向かって順次位置決めされる前記エンドプレートの大きさが大きくなるように積層され、且つ最下層の前記ジャッキ位置決め冶具以外の前記ジャッキ位置決め冶具は前記係止部が下層の前記ジャッキ位置決め冶具に係止されていることを特徴とする請求項４記載の手動式伸縮ジャッキの清掃装置。
【発明の詳細な説明】
【技術分野】
【０００１】
本発明は、おねじ体の軸線から放射状に複数の把手が等間隔で突設されたハンドルで、前記おねじ体を回動させることによって２つのエンドプレート間の長さが伸縮する手動式伸縮ジャッキの前記おねじ体を清掃する手動式伸縮ジャッキの清掃装置に関する。
【背景技術】
【０００２】
従来、工事現場においては、土留材として使用される切梁材及び腹起材として使用されるＨ形鋼や、切梁材の長さ調整用の部材として用いられる手動式伸縮ジャッキ（所謂、キリンジャッキ）が使用されている（例えば、特許文献１参照。）。なお、手動式伸縮ジャッキは、両端ねじ切りのおねじ体の回転により当該おねじ体の両端部に螺合しためねじ体が互いに接近又は離反することで、切梁材の長さを調整することができる。また、おねじ体には当該おねじ体を回転させるためのハンドルが嵌着され、各めねじ体には端面に矩形状のエンドプレートが結合されている。
【０００３】
このようなＨ形鋼や手動式伸縮ジャッキは、近年はレンタルされるケースが多く、工事現場にて使用後は持ち主であるレンタル会社に返却されて次のレンタルのために保管されている。この際、手動式伸縮ジャッキはおねじ体のねじ部にグリスが塗布されているので、工事現場においてはコンクリート飛沫や泥土などが付着してヘドロ状態になる。
【０００４】
このヘドロ状態のグリスを除去する場合、手動式伸縮ジャッキを最大に伸ばした状態でおねじ体のねじ部に付着したヘドロ状態のグリスを、ワイヤーブラシや木材（竹、木）のヘラなどを使用して削ぎ落とす必要があるので、多くの労力と時間がかかり作業性が悪く人件コストが上がる難点があった。
【０００５】
これに対して、このような手動式伸縮ジャッキを清掃するために専用のねじ掃除機が開発されている（例えば、非特許文献１参照。）。このねじ掃除機は、手動式伸縮ジャッキをセッティングするための左用セッティング部及び右用セッティング部と、左用セッティング部及び右用セッティング部にセッティングされた手動式伸縮ジャッキのハンドルに突設された複数の把手を回転移動させるハンドル回転動作部とから構成されている。
【０００６】
左用セッティング部及び右用セッティング部には、それぞれ上部クランパと下部クランプと操作盤とを備えている。ハンドル回転動作部には、駆動チェーンが側面から見てＬ字状に配設されている。この駆動チェーンには、手動式伸縮ジャッキのハンドルの把手に係合する係合体が複数突設されている。
【０００７】
このように構成されたねじ掃除機で手動式伸縮ジャッキのおねじ体のねじ部を清掃するには、まず、クレーンやフォークリフト等によって手動式伸縮ジャッキを左用セッティング部及び右用セッティング部の載置台に載置する。この際、手動式伸縮ジャッキの長さ方向の大きさに応じて左用セッティング部及び右用セッティング部を適宜、手動移動させる。そして各セッティング部の操作盤により上部クランパで手動式伸縮ジャッキのエンドプレートを固定する。
【０００８】
手動式伸縮ジャッキのエンドプレートを固定後、左用セッティング部の操作盤によりハンドル回転動作部を手動式伸縮ジャッキのハンドルの把手に係合可能な位置まで電動移動させる。
【０００９】
このようにして手動式伸縮ジャッキをねじ掃除機にセッティングすることで、左用セッティング部の操作盤でハンドル回転動作部の駆動チェーンを正転移動させると、手動式伸縮ジャッキを伸長させることができ、駆動チェーンを逆転移動させると、手動式伸縮ジャッキを短縮させることができる。
【００１０】
したがって、ねじ掃除機で手動式伸縮ジャッキを伸長させながら、ヘドロ状態のグリスを、ワイヤーブラシや木材（竹、木）のヘラなどを使用して削ぎ落とすことができる。
【００１１】
なお、大きさの異なる手動式伸縮ジャッキを清掃する場合には、ボルト締結による下部クランプ段替えと上部クランパ段替えとが必要になる。この段替え用の下部クランプ及び上部クランパは段替え冶具ボックスに収納されている。
【先行技術文献】
【特許文献】
【００１２】
【特許文献１】特開平６−２１９６９１号公報
【非特許文献】
【００１３】
【非特許文献１】キリンジャッキの掃除機１−ＹｏｕＴｕｂｅ（登録商標）、［平成２８年８月３１日検索］、インターネット〈ＵＲＬ：www.youtube.com/watch?v=5kjZgG3E7Lo〉
【発明の概要】
【発明が解決しようとする課題】
【００１４】
しかしながら、背景技術に記載した非特許文献１に開示されたねじ掃除機では、左用セッティング部、右用セッティング部、及びハンドル回転動作部にはそれぞれ複雑な駆動機構が組み込まれていることから、装置自体をコンパクト化することが難しいので、設置場所が限られてしまう難点があった。
【００１５】
また、手動式伸縮ジャッキのセッティングでは、クレーンやフォークリフト等による載置行程、左用セッティング部及び右用セッティング部の手動移動行程、上部クランパによる手動式伸縮ジャッキのエンドプレートの固定行程、及びハンドル回転動作部の電動移動行程が必要になるので、セッティングのための行程が多くなる難点があった。
【００１６】
さらに、大きさの異なる手動式伸縮ジャッキへの段替えでは、ボルト締結による下部クランプ段替え行程及び上部クランパ段替え行程が必要になるので、段替え時間が長くなる難点があった。
【００１７】
本発明は、このような従来の難点を解消するためになされたもので、設置場所が限定されず、而も手動式伸縮ジャッキのセッティングのための行程が少なくなると共に大きさの異なる手動式伸縮ジャッキへの段替え時間を短くすることができる手動式伸縮ジャッキの清掃装置を提供することを目的とする。
【課題を解決するための手段】
【００１８】
上述の目的を達成する本発明の第１の態様である手動式伸縮ジャッキの清掃装置は、おねじ体の軸線から放射状に複数の把手が等間隔で突設されたハンドルで、おねじ体を回動させることによって２つのエンドプレート間の長さが伸縮する手動式伸縮ジャッキのおねじ体を清掃するための清掃装置で、フレームとジャッキ位置決め部とディスクローラとモータ駆動機構とを備えているものである。なお、本明細書において「突設」とは突き出した状態に設けることを意味する。
フレームは、手動式伸縮ジャッキを軸線方向が実質的に水平になるようにセッティングするために２つのエンドプレートを載置させる載置部が上部に設けられているものである。
ジャッキ位置決め部は、載置部に設けられ、当該載置部にセッティングされた手動式伸縮ジャッキの軸線を中心にしてエンドプレートを水平方向で挟装するものである。なお、本明細書において「挟装」とははさんだように装着することを意味する。
ディスクローラは、一対の円盤状枠体間の外周端に当該円盤状枠体の回転中心から放射状に複数のブレード部材が等間隔で配置され、載置部及びジャッキ位置決め部にセッティングされた手動式伸縮ジャッキの複数の把手が個々に複数のブレード部材間の穴に貫入するようにフレームに対して回動自在に設けられているものである。なお、本明細書において「回動」とは正逆方向に円運動することを意味する。
モータ駆動機構は、フレームに設けられ、ディスクローラを回転させるものである。
【００１９】
このような第１の態様である手動式伸縮ジャッキの清掃装置によれば、手動式伸縮ジャッキをフレームの載置部に載置するだけで手動式伸縮ジャッキの両端に位置する各エンドプレートを各ジャッキ位置決め部で挟装させることができることから、ディスクローラをモータ駆動機構で回転させると、ディスクローラの複数のブレード部材で伸縮ジャッキの複数の把手を回転移動させることができるので、モータ駆動機構でディスクローラを正回転させると手動式伸縮ジャッキの２つのエンドプレート間の長さを伸長させることができ、モータ駆動機構でディスクローラを逆回転させると手動式伸縮ジャッキの２つのエンドプレート間の長さを短縮させることができる。したがって、手動式伸縮ジャッキを伸縮させている間におねじ体にブラシを押圧させているだけで、当該おねじ体を清掃することができる。
【００２０】
このように、１つのフレームに、ジャッキ位置決め部、ディスクローラ、及びモータ駆動機構を備えるだけで、上述のようにおねじ体を清掃することができるので、設置場所が限定されず、而も手動式伸縮ジャッキのセッティングのための行程が少なくなると共に大きさの異なる手動式伸縮ジャッキへの段替え時間を短くすることができる。
【００２１】
本発明の第２の態様は第１の態様である手動式伸縮ジャッキの清掃装置において、ディスクローラの複数のブレード部材は、当該ディスクローラが回転しているときに当該複数のブレード部材間の穴と、手動式伸縮ジャッキの複数の把手とがそれぞれ個別に順次噛み合うような数である。
【００２２】
このような第２の態様である手動式伸縮ジャッキの清掃装置によれば、手動式伸縮ジャッキのおねじ体を等速回転させることができるので、ブラシ清掃がやり易くなる。
【００２３】
本発明の第３の態様は第１の態様又は第２の態様である手動式伸縮ジャッキの清掃装置において、スライド棒とハンドルアームとを備えているものである。
スライド棒は、載置部及びジャッキ位置決め部にセッティングされた手動式伸縮ジャッキの軸線に対して実質的に平行な状態でフレームに設けられているものである。
ハンドルアームは、スライド棒に回動自在且つスライド自在に嵌合され、載置部及びジャッキ位置決め部にセッティングされた手動式伸縮ジャッキのおねじ体を清掃するためのブラシが設けられているものである。
また、スライド棒は、載置部及びジャッキ位置決め部にセッティングされた手動式伸縮ジャッキのおねじ体に向けてハンドルアームを回転させると、ブラシが当該おねじ体に圧接可能なフレームの位置に配置されているものである。
【００２４】
このような第３の態様である手動式伸縮ジャッキの清掃装置によれば、手動式伸縮ジャッキの２つのエンドプレート間の長さを伸縮させている間にハンドルアームをおねじ体に押し付けるだけで、ブラシでおねじ体を清掃することができる。
【００２５】
本発明の第４の態様は第１の態様乃至第３の態様のうち何れか１つの態様である手動式伸縮ジャッキの清掃装置において、大きさの異なる手動式伸縮ジャッキのエンドプレートを載置すると共に水平方向で挟装するコの字形のジャッキ位置決め冶具がジャッキ位置決め部に回動軸によって回動自在に設けられているものである。
このようなジャッキ位置決め冶具は、手動式伸縮ジャッキの位置決め側に回転すると、開口側が上側に位置すると共に連結部に設けられた係止部が当該フレームに係止されているものである。
【００２６】
このような第４の態様である手動式伸縮ジャッキの清掃装置によれば、伸縮ジャッキのエンドプレートは耐力が小さいほどエンドプレートが小さくなることから、そのエンドプレートの大きさに応じたジャッキ位置決め冶具を設けることで、手動式伸縮ジャッキの軸線位置を一定位置にすることができる。したがって、大きさの異なる手動式伸縮ジャッキでもおねじ体を清掃することができる。
【００２７】
本発明の第５の態様は第４の態様である手動式伸縮ジャッキの清掃装置において、大きさの異なるエンドプレートを有する手動式伸縮ジャッキが３種類以上ある場合には、各大きさの異なるエンドプレートに対応するジャッキ位置決め冶具がそれぞれ回動軸に回動自在に設けられているものである。このような複数のジャッキ位置決め冶具は手動式伸縮ジャッキの位置決め側に回転している場合には、上から下に向かって順次位置決めされるエンドプレートの大きさが大きくなるように積層され、且つ最下層のジャッキ位置決め冶具以外のジャッキ位置決め冶具は係止部が下層のジャッキ位置決め冶具に係止されている。
【００２８】
このような第５の態様である手動式伸縮ジャッキの清掃装置によれば、３種類以上の伸縮ジャッキに対応させることができる。
【発明の効果】
【００２９】
本発明の手動式伸縮ジャッキの清掃装置によれば、設置場所が限定されず、而も手動式伸縮ジャッキのセッティングのための行程が少なくなると共に大きさの異なる手動式伸縮ジャッキへの段替え時間を短くすることができる。
【図面の簡単な説明】
【００３０】
【図１】本発明の手動式伸縮ジャッキの清掃装置における好ましい実施の形態例を示す図で、（Ａ）は正面図、（Ｂ）はディスクローラの動作説明図である。
【図２】（Ａ）は図１の（Ａ）の左側面図、（Ｂ）は図１（Ｂ）の右側面図である。
【図３】本発明の手動式伸縮ジャッキの清掃装置の構成要素であるスライド棒及びハンドルアームを示す説明図である。
【図４】手動式伸縮ジャッキを示す図で、（Ａ）は正面図、（Ｂ）は側面図である。
【発明を実施するための形態】
【００３１】
以下、本発明の手動式伸縮ジャッキの清掃装置を実施するための形態例について説明する。本発明の手動式伸縮ジャッキの清掃装置は、おねじ体の軸線から放射状に４つの把手が等間隔で突設されたハンドルで、おねじ体を回動させることによって２つのエンドプレート間の長さが伸縮する手動式伸縮ジャッキのおねじ体を清掃するためのものである。
【００３２】
手動式伸縮ジャッキは図４に示すように、おねじ体１１と、円筒状の基部に当該円筒状の基部の円中心から放射状に４つの把手１２が等間隔で突設され当該基部がおねじ体１１の軸両端間に嵌着されたハンドル１３と、端面に矩形状のエンドプレートが結合されおねじ体の両側にそれぞれ螺合されるめねじ体１４とを備えている。ここで、「嵌着」とは、嵌めることによって部材をくっつけることを意味する。このように構成された両ねじタイプの手動式伸縮ジャッキ１０は、一端側に右ねじ、他端側に左ねじが設けられているので、ハンドル１３でおねじ体１１を回動させることによって２つのエンドプレート１５、１５間の長さを伸縮させることができる。
【００３３】
このような手動式伸縮ジャッキ１０を清掃するための清掃装置は図１（Ａ）に示すように、フレーム２とジャッキ位置決め部３とディスクローラ４とモータ駆動機構５とを備えている。
【００３４】
フレーム２は、手動式伸縮ジャッキ１０を軸線方向が実質的に水平になるようにセッティングするために２つのエンドプレート１５、１５を載置させる載置部２１が上部フレーム２２に設けられ、当該載置部２１や、後述するジャッキ位置決め部３、ディスクローラ４及びモータ駆動機構５を設けられるように、鋼材等の素材にて適宜枠組みされている。このようなフレーム２は、例えば、矩形状の上部フレーム２２と、矩形状の下部フレーム２３と、上部フレーム２２及び下部フレーム２３を四隅で固定する支柱フレーム２４とから構成されている。
【００３５】
ジャッキ位置決め部３は、上部フレーム２２に設けられ、載置部２１にセッティングされた手動式伸縮ジャッキ１０の軸線Ｌ１を中心にしてエンドプレート１５を水平方向で挟装するもので、フレーム２の長手方向両側に設けられている。即ち、図２（Ａ）、（Ｂ）に示すように、２枚の板材３１、３２が上方に突出するように載置部２１の幅方向両側に固定されている。
【００３６】
ディスクローラ４は図１（Ａ）、（Ｂ）に示すように、一対の円盤状枠体４１、４２間の外周端に当該円盤状枠体４１、４２の回転中心から放射状に複数のブレード部材４３が等間隔で配置されている。また、載置部２１及びジャッキ位置決め部３にセッティングされた手動式伸縮ジャッキ１０の４つの把手１２が個々に複数のブレード部材４３間の穴に貫入するようにフレーム２に対して回動自在に設けられている。具体的には、ディスクローラ４は、下部フレーム２３に固定された２つのピローブロック２５、２５に軸支された回動軸２６に固定されている。
【００３７】
なお、フレーム２の載置部２１には、このディスクローラ４を上側に突出させることができる空間２７が穿設されている。ここで、「穿設」とは、穴をあけることを意味する。このようにフレーム２の載置部２１の空間２７からディスクローラ４を突出させることで、当該ディスクローラ４の外周側面と、載置部２１及びジャッキ位置決め部３にセッティングされた手動式伸縮ジヤッキ１０のハンドル１３の外周側面とを対向配置させることできる。
【００３８】
また、ピローブロック２５は、圧縮コイルばね２８１を介在させて下部フレーム２３に固定するサスペンション機構２８を設けることで、当該ピローブロック２５がディスクローラ４の異常な機械振動により破損してしまうことを防ぐことができる。即ち、圧縮コイルばね２８１がディスクローラ４の異常な機械振動を吸収するように下部フレーム２３に配置されている。
【００３９】
具体的には、このピローブロック２５を下部フレーム２３に固定するために、ウエブ２９１と、ウエブ２９１の両端に一体に設けられた一対のフランジ２９２、２９３とを有するみぞ形鋼２９が用いられ、このみぞ形鋼２９は、一対のフランジ２９２、２９３を上下に位置させて下部フレーム２３上に固定されている。そして、ねじ２８２、圧縮コイルばね２８１及びダブルナット２８３からなるサスペンション機構２８を用いて、ピローブロック２５を上フランジ２９２の上面に固定することで、圧縮コイルばね２８１の弾性力によりディスクローラ４の異常な機械振動を吸収することができる。
【００４０】
また、回転軸２６の軸線Ｌ２は、載置部２１及びジャッキ位置決め部３にセッティングされた手動式伸縮ジャッキ１０の軸線Ｌ１に対して平行に配置されていることから、この回動軸２６を介してディスクローラ４を回転させると、手動式伸縮ジャッキ１０の１つの把手１２を、ディスクローラ４の１つのブレード部材４３によって押圧することができるので、この動作を手動式伸縮ジャッキ１０の４つの把手１４と、ディスクローラ４の複数のブレード部材４３とによって順次繰り返すことで、手動式伸縮ジャッキ１０の２つのエンドプレート１５、１５間の長さを伸縮させることができる。
【００４１】
このようなディスクローラ４の複数のブレード部材４３は、当該ディスクローラ４が回転しているときに当該複数のブレード部材４３間の穴と、手動式伸縮ジャッキの４つの把手とがそれぞれ個別に順次噛み合うような数が好ましい。
【００４２】
具体的には、手動式伸縮ジャッキ１０は、ハンドル１３の直径が１４０ｍｍ、把手１２のハンドル１３の外周からの突出量が７０〜８０ｍｍ、把手１２の直径が３０ｍｍとし、ディスクローラ４は、直径が６００ｍｍ、一対の円盤状枠体４１、４２間の隙間が５０ｍｍ、ブレード部材４３の直径方向の厚みが５０ｍｍ、ブレード部材４３の外周方向における幅が５０ｍｍとし、さらに、手動式伸縮ジャッキ１０の軸線Ｌ１と、ディスクローラ４（回動軸３３）の軸線Ｌ２との間の距離を３８５ｍｍとすると、ブレード部材４３の数は８つになる。即ち、ディスクローラ４が回転しているときに８つのブレード部材４３間の穴と、手動式伸縮ジャッキの４つの把手１２とをそれぞれ個別に順次噛み合わせることができる。したがって、ディスクローラ４のブレード部材４３の数は、手動式伸縮ジャッキ１０の把手１２の数と共に、これらの数値によって定まることがわかる。
【００４３】
モータ駆動機構５は、下部フレーム２３に設けられ、ディスクローラ４を回転させるものである。具体的には、下部フレーム２３に固定されたモータ５１と、モータ５１に設けた減速機５１ａの軸５１ｂとディスクローラ４に固定された回動軸２６とを接続するカップリング５２とを備えている。このモータ５１は、図示しないフットスイッチにより駆動させることで、足でオンオフ制御することができる。
【００４４】
また、本発明の手動式伸縮ジャッキの清掃装置１は図１（Ａ）、図２（Ａ）、（Ｂ）、図３に示すように、スライド棒６とハンドルアーム７とを備えている。スライド棒６は、載置部２１及びジャッキ位置決め部３にセッティングされた手動式伸縮ジャッキ１０の軸線Ｌ１に対して実質的に平行な状態で上部フレーム２２に設けられている。例えば、スライド棒６は、上部フレーム２２の上面に設けられた一対の支持アーム２２１、２２２に固定されている。ハンドルアーム７は、スライド棒６に回動自在且つ軸線方向にスライド自在に嵌合され、載置部２１及びジャッキ位置決め部３にセッティングされた手動式伸縮ジャッキ１０のおねじ体１１を清掃するためのブラシ７１が設けられている。また、スライド棒６は、載置部２１及びジャッキ位置決め部３にセッティングされた手動式伸縮ジャッキ１０のおねじ体１１に向けてハンドルアーム７を回転させると、ブラシ７１が当該おねじ体１１に圧接可能な上部フレーム２２の位置に配置されている。
【００４５】
このブラシ７１は、おねじ体１１のねじ穴に沿って移動可能に配置され、例えば３つのブラシがおねじ体１１のねじ穴に沿って直列配置されている。また、このブラシ７１は、おねじ体１１のねじ穴に沿って移動させることができればよく、モータにて駆動される電動ブラシでもよい。
【００４６】
このようなハンドルアーム７は、上述した両ねじタイプの手動式伸縮ジャッキ１０の場合には、ハンドルの両側に清掃するためのおねじ体１１が存在することになるので、図３に示すように２つ設けるとよい。なお、片ねじタイプの手動式伸縮ジャッキの場合は一方のハンドルアームだけを使用することになる。
【００４７】
また、図１（Ａ）、図２（Ａ）、（Ｂ）に示すように、大きさの異なる手動式伸縮ジャッキ１０のエンドプレート１５を載置すると共に水平方向で挟装するジャッキ位置決め冶具８がジャッキ位置決め部３に回動軸３３によって回動自在に設けられている。このジャッキ位置決め冶具８は、一方の側面部８１及び他方の側面部８２をそれぞれ一方向に突出した状態で対向配置するように連結する連結部８３を有することで断面コの字形に形成され、フレーム２の長手方向両側に設けられている。このようなジャッキ位置決め冶具８は、一対の側面部８１、８２がジャッキ位置決め部３として機能し、連結部８３が載置部２１として機能する。
【００４８】
このようなジャッキ位置決め冶具８は、手動式伸縮ジャッキの位置決め側に回転させると、開口側が上側に位置すると共に連結部８３に設けられた係止部８４が載置部２１に係止される。
【００４９】
ここで、手動式伸縮ジャッキには、大きさの異なる複数種類のジャッキがある。これは、支保架構の土圧に対する支持力の強弱に応じて手動式伸縮ジャッキを使い分けるためである。この手動式伸縮ジャッキは小さいほど、その大きさに応じてエンドプレートも小さくなる。したがって、手動式伸縮ジャッキの大きさに応じたジャッキ位置決め冶具が必要になる。この場合、手動式伸縮ジャッキの軸線と、ディスクローラの軸線との間の距離を一定にできるようにジャッキ位置決め冶具を配置することが必要になるので、このジャッキ位置決め冶具は、ジャッキ位置決め部に設けられる回動軸３３と、係止部との高さ方向の配置位置が重要になる。なお、清掃装置１で清掃する手動式伸縮ジヤッキ１０は、ハンドル１３の直径、把手１２のハンドル１３の外周からの突出量、把手１２の直径が極端に異なるものは使用することができない。ディスクローラ４と適切に係合できなくなるからである。
【００５０】
即ち、伸縮ジャッキのエンドプレートは耐力が小さいほどエンドプレートが小さくなることから、そのエンドプレートの大きさに応じたジャッキ位置決め冶具を設けることで、手動式伸縮ジャッキの軸線位置を一定位置にすることができる。したがって、大きさの異なる手動式伸縮ジャッキでもおねじ体を清掃することができる。
【００５１】
なお、図１（Ａ）、図２（Ａ）、（Ｂ）においては、大きさの異なるエンドプレートを有する手動式伸縮ジャッキの３種類に対応させるので、各大きさの異なるエンドプレートに対応するジャッキ位置決め冶具がそれぞれ回動軸に回動自在に設けられている。第１のジャッキ位置決め冶具８は、上述したもので、中型の手動式伸縮ジヤッキに用いられ、第２のジャッキ位置決め冶具９は、小型の手動式伸縮ジヤッキに用いられる。また、載置部２１及びジャッキ位置決め部３は、大型の手動式伸縮ジヤッキに用いられる。
【００５２】
第２のジャッキ位置決め冶具９は、第１のジャッキ位置決め冶具８と同様の構成で、一方の側面部９１及び他方の側面部９２をそれぞれ一方向に突出した状態で対向配置するように連結する連結部９３を有することで断面コの字形に形成され、フレーム２の長手方向両側に設けられている。このような第２のジャッキ位置決め冶具９は、一対の側面部９１、９２がジャッキ位置決め部３として機能し、連結部９３が載置部２１として機能する。
【００５３】
また、第１のジャッキ位置決め冶具８及び第２のジャッキ位置決め冶具９に載置された手動式伸縮ジヤッキの水平面上における軸線Ｌ１の位置が、載置部２１及びジャッキ位置決め部３に載置された手動式伸縮ジヤッキの水平面上における軸線Ｌ１の位置と一致するように、筒状スペーサ３４、３５が回動軸３３の外周に挿嵌されている。ここで、「挿嵌」とは、差し込んで嵌めることを意味する。
【００５４】
具体的には、筒状スペーサ３４は、ジャッキ位置決め部３の一方の板材３１と第１のジャッキ位置決め治具８の一方の側面部８１との間、及びジャッキ位置決め部３の他方の板材３２と第１のジャッキ位置決め治具８の他方の側面部８２との間にそれぞれ配置されている。また、筒状スペーサ３５は、第１のジャッキ位置決め治具８の一方の側面部８１と第２のジャッキ位置決め治具９の一方の側面部９１との間、及び第１のジャッキ位置決め治具８の他方の側面部８２と第２のジャッキ位置決め治具９の他方の側面部９２との間にそれぞれ配置されている。
【００５５】
このような２種類のジャッキ位置決め冶具８、９は、手動式伸縮ジャッキの位置決め側に回転している場合には、上から下に向かって順次位置決めされるエンドプレートの大きさが大きくなるように積層され、且つ最下層のジャッキ位置決め冶具８以外のジャッキ位置決め冶具９は係止部９４が下層のジャッキ位置決め冶具８の連結部８３に係止されている。このようにジャッキ位置決め冶具を構成することで、３種類以上の手動式伸縮ジャッキに対応させることができる。
【００５６】
なお、図２（Ａ）、（Ｂ）においては、手動式伸縮ジヤッキ１０が、便宜上、二点鎖線で示すと共に、載置部２１及びジャッキ位置決め部３、第１のジャッキ位置決め冶具８、第２のジャッキ位置決め冶具９それぞれに対応する手動式伸縮ジヤッキのエンドプレートが示してあるので、載置部２１及びジャッキ位置決め部３にセッティングされる大型の手動式伸縮ジヤッキのエンドプレートは符号１５ａ、第１のジャッキ位置決め冶具８にセッティングされる中型の手動式伸縮ジヤッキのエンドプレートは符号１５ｂ、第２のジャッキ位置決め冶具９にセッティングされる小型の手動式伸縮ジヤッキのエンドプレートは符号１５ｃでそれぞれ示してある。また、図１（Ａ）には、中型の手動式伸縮ジヤッキ１０が、便宜上、二点鎖線で示してある。
【００５７】
このように構成された本発明の手動式伸縮ジャッキの清掃装置１の動作について、以下、説明する。なお、大型の手動式伸縮ジャッキは載置部２１及びジャッキ位置決め部３、中型の手動式伸縮ジヤッキは第１のジャッキ位置決め冶具８、小型の手動式伸縮ジヤッキは第２のジャッキ位置決め冶具９をそれぞれ用いてセッティングされる。また、各手動式伸縮ジヤッキのハンドルの把手の数は４つ、ディスクローラのブレード部材の数は８つとする。また、ディスクローラの回転数は、セッティングされた手動式伸縮ジャッキが跳ね上がらないような回転数に設定される。即ち、ディスクローラがこの手動式伸縮ジャッキの跳ね上がり動作により異常な機械振動が発生しないような回転数である。
【００５８】
例えば、図１（Ａ）のように、中型の手動式伸縮ジヤッキ１０を清掃するために、フレーム２の長手方向両側に設けられた各第１のジャッキ位置決め冶具８、８を手動式伸縮ジャッキ１０の位置決め側に回転させることで、手動式伸縮ジヤッキ１０を当該各第１のジャッキ位置決め冶具８、８にセッティングすることができる。即ち、ディスクローラ４の外周側面と、手動式伸縮ジヤッキ１０のハンドル１３の外周側面とを対向配置させることできる。
【００５９】
このように、中型の手動式伸縮ジャッキ１０を各第１のジャッキ位置決め冶具８、８の連結部８３に載置するだけで手動式伸縮ジャッキ１０の両端に位置する各エンドプレート１５、１５を各第１のジャッキ位置決め冶具８、８の一対の側面部８１、８２で挟装させることができることから、ディスクローラ４をモータ駆動機構５で回転させると、ディスクローラ４の８つのブレード部材４３で手動式伸縮ジャッキ１０の４つの把手１２を回転移動させることができるので、モータ駆動機構５でディスクローラ４を正回転させると手動式伸縮ジャッキ１０の２つのエンドプレート１５、１５間の長さを伸長させることができ、モータ駆動機構５でディスクローラ４を逆回転させると手動式伸縮ジャッキ１０の２つのエンドプレート１５、１５間の長さを短縮させることができる。
【００６０】
なお、ディスクローラ４の各ブレード部材４３で手動式伸縮ジャッキ１０のハンドル１３の各把手１２を介しておねじ体１１を回転させているが、手動式伸縮ジャッキ１０は重さが６０ｋｇ〜２００ｋｇ位あるので、ディスクローラ４を適切な回転数で回転させれば手動式伸縮ジャッキ１０を跳ね上がらせることなく確実におねじ体１１を回転させることができる。
【００６１】
このように、１つのフレーム２に、ジャッキ位置決め部３、ディスクローラ４、及びモータ駆動機構５を備えるだけで、上述のようにおねじ体１１を清掃することができるので、設置場所が限定されず、而も手動式伸縮ジャッキ１０のセッティングのための行程が少なくなると共に大きさの異なる手動式伸縮ジャッキへの段替え時間を短くすることができる。
【００６２】
なお、ディスクローラ４の８つのブレード部材４３は、当該ディスクローラ４が回転しているときに当該８つのブレード部材４３間の穴と、手動式伸縮ジャッキ１０の４つの把手１とがそれぞれ個別に順次噛み合うような数であることから、手動式伸縮ジャッキ１０のおねじ体１１を等速回転させることができるので、ブラシ清掃がやり易くなる。
【００６３】
また、上述のようなスライド棒６とハンドルアーム７とを備えることで、手動式伸縮ジャッキ１０の２つのエンドプレート１５、１５間の長さを伸縮させている間にハンドルアーム７をおねじ体１１に押し付けるだけで、ブラシ７１でおねじ体１１を清掃することができるようになる。
【００６４】
また、フレーム２の長手方向両側に設けられた各第２のジャッキ位置決め冶具９、９を手動式伸縮ジャッキの位置決め側（内側方向）に回転させることで、小型の手動式伸縮ジヤッキを各第２のジャッキ位置決め冶具９、９にセッティングすることができ、さらに、フレーム２の長手方向両側に設けられた各第１のジャッキ位置決め冶具８、８及び各第２のジャッキ位置決め冶具９、９をそれぞれ退避側（外側方向）に回転させることで、大型の手動式伸縮ジヤッキを載置部２１及びジャッキ位置決め部３にセッティングすることができる。なお、図１（Ａ）においては、各第２のジャッキ位置決め冶具９、９をそれぞれ退避側（外側方向）に回転させた状態が、便宜上、二点鎖線で示してあるが、各第１のジャッキ位置決め冶具８、８もそれぞれ同様な状態で回転することになる。
【００６５】
即ち、載置部２１及びジャッキ位置決め部３と、各第１のジャッキ位置決め冶具８、８と、各第２のジャッキ位置決め冶具９、９とは何れにおいても、ディスクローラ４の外周側面と、手動式伸縮ジヤッキのハンドルの外周側面とを、手動式伸縮ジャッキの軸線と、ディスクローラの軸線との間の距離を一定にした状態で対向配置させることできるので、上述のようなディスクローラ４の回転運動で手動式伸縮ジヤッキのおねじ体をブラシによって清掃することができる。
【００６６】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【符号の説明】
【００６７】
１……手動式伸縮ジャッキの清掃装置
２……フレーム
２１……載置部
３……ジャッキ位置決め部
３３……回動軸
４……ディスクローラ
４１、４２……一対の円盤状枠体
４３……ブレード部材
５……モータ駆動機構
６……スライド棒
７……ハンドルアーム
７１……ブラシ
８……第１のジャッキ位置決め部
８４……係止部
９……第２のジャッキ位置決め部
９４……係止部
１０……手動式伸縮ジャッキ
１１……おねじ体
Ｌ１……軸線
１２……把手
１３……ハンドル
１５……エンドプレート
【図１】
2018090395.tif 000003
【図２】
2018090395.tif 000004
【図３】
2018090395.tif 000005
【図４】
2018090395.tif 000006
【手続補正書】
【提出日】平成29年10月31日(2017.10.31)
【手続補正１】
【補正対象書類名】特許請求の範囲
【補正対象項目名】請求項４
【補正方法】変更
【補正の内容】
【請求項４】
大きさの異なる前記手動式伸縮ジャッキの前記エンドプレートを載置すると共に水平方向で挟装するために、一対の側面部をそれぞれ一方向に突出した状態で対向配置するように連結する連結部を有することでコの字形に形成されるジャッキ位置決め冶具が、前記ジャッキ位置決め部に回動軸によって回動自在に設けられ、当該ジャッキ位置決め冶具は、前記一対の側面部が前記エンドプレートを挟装する前記手動式伸縮ジャッキの位置決め側に回転すると、開口側が上側に位置すると共に前記エンドプレートを載置する前記連結部に設けられた係止部が前記載置部に係止されていることを特徴とする請求項１乃至請求項３のうち何れか１項に記載の手動式伸縮ジャッキの清掃装置。
【手続補正２】
【補正対象書類名】明細書
【補正対象項目名】００２５
【補正方法】変更
【補正の内容】
【００２５】
本発明の第４の態様は第１の態様乃至第３の態様のうち何れか１つの態様である手動式伸縮ジャッキの清掃装置において、大きさの異なる手動式伸縮ジャッキのエンドプレートを載置すると共に水平方向で挟装するために、一対の側面部をそれぞれ一方向に突出した状態で対向配置するように連結する連結部を有することでコの字形に形成されるジャッキ位置決め冶具が、ジャッキ位置決め部に回動軸によって回動自在に設けられているものである。
このようなジャッキ位置決め冶具は、一対の側面部がエンドプレートを挟装する手動式伸縮ジャッキの位置決め側に回転すると、開口側が上側に位置すると共にエンドプレートを載置する連結部に設けられた係止部が載置部に係止されているものである。
【手続補正３】
【補正対象書類名】明細書
【補正対象項目名】００４０
【補正方法】変更
【補正の内容】
【００４０】
また、回動軸２６の軸線Ｌ２は、載置部２１及びジャッキ位置決め部３にセッティングされた手動式伸縮ジャッキ１０の軸線Ｌ１に対して平行に配置されていることから、この回動軸２６を介してディスクローラ４を回転させると、手動式伸縮ジャッキ１０の１つの把手１２を、ディスクローラ４の１つのブレード部材４３によって押圧することができるので、この動作を手動式伸縮ジャッキ１０の４つの把手１４と、ディスクローラ４の複数のブレード部材４３とによって順次繰り返すことで、手動式伸縮ジャッキ１０の２つのエンドプレート１５、１５間の長さを伸縮させることができる。
【手続補正４】
【補正対象書類名】明細書
【補正対象項目名】００４２
【補正方法】変更
【補正の内容】
【００４２】
具体的には、手動式伸縮ジャッキ１０は、ハンドル１３の直径が１４０ｍｍ、把手１２のハンドル１３の外周からの突出量が７０〜８０ｍｍ、把手１２の直径が３０ｍｍとし、ディスクローラ４は、直径が６００ｍｍ、一対の円盤状枠体４１、４２間の隙間が５０ｍｍ、ブレード部材４３の直径方向の厚みが５０ｍｍ、ブレード部材４３の外周方向における幅が５０ｍｍとし、さらに、手動式伸縮ジャッキ１０の軸線Ｌ１と、ディスクローラ４（回動軸２６）の軸線Ｌ２との間の距離を３８５ｍｍとすると、ブレード部材４３の数は８つになる。即ち、ディスクローラ４が回転しているときに８つのブレード部材４３間の穴と、手動式伸縮ジャッキの４つの把手１２とをそれぞれ個別に順次噛み合わせることができる。したがって、ディスクローラ４のブレード部材４３の数は、手動式伸縮ジャッキ１０の把手１２の数と共に、これらの数値によって定まることがわかる。